(57)【特許請求の範囲】
【請求項１】
対向する一対の側面の一方に吹出口を有し、他方に吸込み口を有するファンフィルタユニットと、
前記ファンフィルタユニットの吹出口側、又は吸込み口側に隣接して設けられるクリーンブース本体と
を備え、
前記クリーンブース本体は、前記ファンフィルタユニットの存する方向を除く３方向を覆うカーテンと、前記カーテンを吊設するカーテンレールと、上方を塞ぐ天壁とを有し、  前記カーテンレールは、前記ファンフィルタユニットの吹出口側と吸込み口側との間で移動可能とすることで、クリーンブース本体内部を陰圧、又は陽圧に切替え可能に構成されており、
前記ファンフィルタユニットは、前記一対の側面の対向する方向を厚み方向とするとともに当該厚み方向に垂直な水平方向を幅方向とし、
前記カーテンレールは、前記厚み方向に延びる縦辺と前記幅方向に延びる横辺からなる矩形枠状に形成されるとともに、前記ファンフィルタユニットの上面の幅方向の両端に固定された一対のスライド枠に沿って前記縦辺を摺動させることにより、前記ファンフィルタユニットの吹出口側と吸込み口側との間をスライドして移動するよう構成されており、  前記スライド枠は、不等辺チャンネルからなり、その横断面における開口側を前記幅方向の内側に、かつ幅広の辺を下側にして前記ファンフィルタユニットの上面に固定されているクリーンブース。
【請求項２】
対向する一対の側面の一方に吹出口を有し、他方に吸込み口を有するファンフィルタユニットと、
前記ファンフィルタユニットの吹出口側、又は吸込み口側に隣接して設けられるクリーンブース本体と
を備え、
前記クリーンブース本体は、前記ファンフィルタユニットの存する方向を除く３方向を覆うカーテンと、前記カーテンを吊設するカーテンレールと、上方を塞ぐ天壁とを有し、
前記カーテンレールは、前記ファンフィルタユニットの吹出口側と吸込み口側との間で移動可能とすることで、クリーンブース本体内部を陰圧、又は陽圧に切替え可能に構成されており、
前記ファンフィルタユニットは、前記一対の側面の対向する方向を厚み方向とするとともに当該厚み方向に垂直な水平方向を幅方向とし、
前記カーテンレールは、前記厚み方向に延びる縦辺と前記幅方向に延びる横辺からなる矩形枠状に形成されるとともに、前記ファンフィルタユニットの吹出口側と吸込み口側との間をスライドして移動するよう構成されており、
前記ファンフィルタユニットの上面における前記厚み方向の両端に一対のスライドストッパを有し、
前記スライドストッパは、前記幅方向に延びるよう垂設される帯板状の鉛直部と、前記鉛直部の上縁から反ファンフィルタユニット側に延出する上板部とを有するクリーンブース。
【請求項３】
前記スライドストッパは、前記鉛直部が前記ファンフィルタユニットの上面からその厚み方向の外側に飛び出して設けられるとともに前記鉛直部の下縁から前記上板部と反対方向に延出して前記ファンフィルタユニットの上面に固定される帯板状の基部を有し、
前記カーテンレールは、前記ファンフィルタユニットから取り外し、かつ前記カーテン、及び天壁を取り外して、前記基部に吊掛けて保管可能に構成される請求項２に記載のクリーンブース。
【請求項４】
対向する一対の側面の一方に吹出口を有し、他方に吸込み口を有するファンフィルタユニットと、
前記ファンフィルタユニットの吹出口側、又は吸込み口側に隣接して設けられるクリーンブース本体と
を備え、
前記クリーンブース本体は、前記ファンフィルタユニットの存する方向を除く３方向を覆うカーテンと、前記カーテンを吊設するカーテンレールと、上方を塞ぐ天壁とを有し、  前記カーテンレールは、前記ファンフィルタユニットの吹出口側と吸込み口側との間で移動可能とすることで、クリーンブース本体内部を陰圧、又は陽圧に切替え可能に構成されており、
前記ファンフィルタユニットは、前記一対の側面の対向する方向を厚み方向とするとともに当該厚み方向に垂直な水平方向を幅方向とし、
前記カーテンレールは、前記厚み方向に延びる縦辺と前記幅方向に延びる横辺からなる矩形枠状に形成されるとともに、カーテンフックを介して前記カーテンを吊設しており、  前記カーテンフックは、前記縦辺と前記横辺の間を摺動可能に構成されているクリーンブース。
【請求項５】
対向する一対の側面の一方に吹出口を有し、他方に吸込み口を有するファンフィルタユニットと、
前記ファンフィルタユニットの吹出口側、又は吸込み口側に隣接して設けられるクリーンブース本体と
を備え、
前記クリーンブース本体は、前記ファンフィルタユニットの存する方向を除く３方向を覆うカーテンと、前記カーテンを吊設するカーテンレールと、上方を塞ぐ天壁とを有し、  前記カーテンレールは、前記ファンフィルタユニットの吹出口側と吸込み口側との間で移動可能とすることで、クリーンブース本体内部を陰圧、又は陽圧に切替え可能に構成されており、
前記ファンフィルタユニットは、前記一対の側面の対向する方向を厚み方向とするとともに当該厚み方向に垂直な水平方向を幅方向とし、
前記カーテンレールは、前記厚み方向に延びる縦辺と前記幅方向に延びる横辺からなる矩形枠状に形成されるとともに、前記横辺を回転軸にして回動することにより、前記ファンフィルタユニットの吹出口側と吸込み口側との間を移動するクリーンブース。
【発明の詳細な説明】
【技術分野】
【０００１】
この発明は、例えば、ベッドの一部又は全部を覆って、その内部を陽圧又は陰圧にし、内部又は外部の人間の感染防止を行うクリーンブースに関し、特に用途に応じてブース内部を陰圧と陽圧に切替え可能なクリーンブースに関する。
【背景技術】
【０００２】
従来、手術後の患者の感染防止等を目的として、あるいは感染症の患者から医療従事者や他の患者への感染防止を目的として、ベッドの患者頭部側の一部を蚊帳状に囲んで、その内部を陰圧、又は陽圧とする換気ブースが広く用いられている（特許文献１乃至特許文献３参照）。
【０００３】
例えば、特許文献１では、ブース内に清浄空気を供給する給気ユニットの供給空気量よりも、ブース外に清浄化した空気を排気する排気ユニットからの排出量が常時上回るように設定することによってブース内を陰圧にするよう構成した無菌ブースが提案されている。
【０００４】
また、特許文献２では、内部に殺菌線を放射する殺菌ランプを配置した殺菌ボックスから殺菌された空気をブース内に送風してブース（フード）内部を陽圧にする換気ブース（クリーンフードシステム）が提案されている。
ところが、特許文献１や特許文献２のような陰圧、又は陽圧の一方のみの装置を両方保有することは、コストや保管スペース等の負担が大きいという問題がある。
【０００５】
そこで、特許文献３では、ファンユニットの気流方向を逆転可能とすることで、ブース内を陰圧にも陽圧にも変更可能なクリーンブースが提案されている。
【０００６】
また、特許文献４では、壁掛け式のファンユニットの表面と裏面に吸気開口と吹出開口を設け、表裏を逆にして掛けかえることで、ブース内を陰圧にも陽圧にも変更可能とした換気ブースが提案されている。
【先行技術文献】
【特許文献】
【０００７】
【特許文献１】特開平０７−２４１３１８号公報
【特許文献２】特開平１０−１５１１６０号公報
【特許文献３】登録実用新案第３１０８５３６号公報
【特許文献４】特開２０１０−２６９１２１号公報
【発明の概要】
【発明が解決しようとする課題】
【０００８】
しかし、特許文献３のクリーンブースのようにファンユニットの気流方向を逆転させたのでは、ファンユニット内に付着した菌やウイルスが吹出開口から吹き出される虞がある。
一方で、特許文献４の換気ブースでは、重いフィルタユニットを入れ替えるのは、医療従事者に負担が大きいという問題がある。
本発明は、上記課題に鑑みてなされたものであり、ファンユニットの気流の向きを逆転させることなく、かつ、ファンユニットを持ち上げて取り外したりせずに、クリーンブース内の陰圧と陽圧を交換可能なクリーンブースの提供を目的とする。
【課題を解決するための手段】
【０００９】
上記課題を解決するためになされた発明は、対向する一対の側面の一方に吹出口を有し、他方に吸込み口を有するファンフィルタユニットと、前記ファンフィルタユニットの吹出口側、又は吸込み口側に隣接して設けられるクリーンブース本体とを備え、前記クリーンブース本体は、前記ファンフィルタユニットの存する方向を除く３方向を覆うカーテンと、前記カーテンを吊設するカーテンレールと、上方を塞ぐ天壁とを有し、前記カーテンレールは、前記ファンフィルタユニットの吹出口側と吸込み口側との間で移動可能とすることで、クリーンブース本体内部を陰圧、又は陽圧に切替え可能に構成されており、前記ファンフィルタユニットは、前記一対の側面の対向する方向を厚み方向とするとともに当該厚み方向に垂直な水平方向を幅方向とし、前記カーテンレールは、前記厚み方向に延びる縦辺と前記幅方向に延びる横辺からなる矩形枠状に形成されるクリーンブースを前提とする。
そして、本発明は、前記ファンフィルタユニットの上面の幅方向の両端に固定された一対のスライド枠に沿って前記縦辺を摺動させることにより、前記ファンフィルタユニットの吹出口側と吸込み口側との間をスライドして移動するよう構成されており、前記スライド枠は、不等辺チャンネルからなり、その横断面における開口側を前記幅方向の内側に、かつ幅広の辺を下側にして前記ファンフィルタユニットの上面に固定されているクリーンブースを含む。
【００１０】
本発明のクリーンブースは、このようにカーテンレールをファンフィルタユニットの吸込口側へも吹出口側へも移動させることができるので、吸込口側へカーテンレールを移動させて吸込口側へブースを設けることで、該ブース内を陰圧にすることができ、また、吹出口側へカーテンレールを移動させて吹出口側へブースを設けることで、議ブース内を陽圧にすることができる。
【００１１】
前記カーテンレールが、前記ファンフィルタユニットの吹出口側と吸込み口側との間をスライドして移動するようにすることで、カーテンレールを吸込口側と吹出口側とで容易に移動させることができる。
【００１２】
本発明は、前記カーテンレールが、前記ファンフィルタユニットの吹出口側と吸込み口側との間をスライドして移動するよう構成されており、前記ファンフィルタユニットの上面における前記厚み方向の両端に一対のスライドストッパを有し、前記スライドストッパは、前記幅方向に延びるよう垂設される帯板状の鉛直部と、前記鉛直部の上縁から反ファンフィルタユニット側に延出する上板部とを有するクリーンブースを含む。
ここで、前記スライドストッパは、前記鉛直部が前記ファンフィルタユニットの上面からその厚み方向の外側に飛び出して設けられるとともに前記鉛直部の下縁から前記上板部と反対方向に延出して前記ファンフィルタユニットの上面に固定される帯板状の基部を有し、前記カーテンレールは、前記ファンフィルタユニットから取り外し、かつ前記カーテン、及び天壁を取り外して、前記基部に吊掛けて保管可能に構成されることが好ましい。こうすることで、保管時のスペースを節約することができる。
また、前記カーテンレールが、カーテンフックを介して前記カーテンを吊設しており、前記カーテンフックは、前記縦辺と前記横辺の間を摺動可能に構成されているクリーンブースを含む。
さらに、本発明は、前記カーテンレールが、前記横辺を回転軸にして回動することにより、前記ファンフィルタユニットの吹出口側と吸込み口側との間を移動するクリーンブースを含む。
【発明の効果】
【００１３】
以上説明したように、本発明のクリーンブースによれば、クリーンブース内の陰圧・陽圧を変更するにあたり、ファンフィルタユニット内の気流の向きを逆転させることがないので、ファンフィルタユニット内部に付着した菌やウイルスを逆流させることがない。また、ファンフィルタユニットを持ち上げて取り外す必要がないので、医療従事者の負担を軽減できる。
【図面の簡単な説明】
【００１４】
【図１】本発明の一の実施形態に係るクリーンブースを、内部が陽圧となるように使用した状況を示す側面図である。
【図２】本発明の一の実施形態に係るクリーンブースを、内部が陰圧となるように使用した状況を示す側面図である。
【図３】図１に示したファンフィルタユニットの（ａ）平面図、（ｂ）正面図、（ｃ）右側面図、（ｄ）背面図である。
【図４】図１に示したカーテンレールがスライドする様子を示した平面図である。
【図５】カーテンレール周辺を示す（ａ）要部側面図、（ｂ）要部背面図である。
【図６】図５のスライド枠周辺（図５（ｂ）のＸの部分）を示す（ａ）要部拡大平面図、（ｂ）要部拡大背面図である。
【図７】図５の（ａ）ストッパ金具周辺（図５（ａ）のＹの部分）を示す要部拡大側面図、（ｂ）スライド金具にカーテンレールを引き掛けた様子を示す要部拡大側面図である。
【発明を実施するための形態】
【００１５】
以下、適宜図面を用いながら本発明の実施形態について詳述する。ただし、本発明は、以下の実施形態に限られるものではない。
図１は、本発明の一の実施形態に係るクリーンブース１００を示している。クリーンブース１００は、感染症、あるいは無菌状態を要する患者Ａを寝かせたベッドＢの頭部周辺を周囲から隔離するために用いられるものであり、患者の頭部を覆うクリーンブース本体１０と、クリーンブース本体１０に陰圧、又は陽圧を供給するファンフィルタユニット２０とを備えている。
【００１６】
クリーンブース本体１０は、図１、図２に示すように、カーテンレール１１と、カーテンレール１１の三方に吊設される透明樹脂製のカーテン１３，１３，１３と、クリーンブース本体の上方を閉塞する天壁１６とを主に備えている。
【００１７】
カーテンレール１１は、アルミニウムやステンレス等の金属パイプを折り曲げて角丸の矩形に形成され、多数のカーテンフック１２，１２，…が、縦辺１１ａ、乃至横辺１１ｂに沿って摺動可能に、かつ縦辺１１ａと横辺１１ｂとの間で摺動可能に吊設されている。
【００１８】
カーテンレール１１は、ファンフィルタユニット２０の上面２６における幅方向（図４の上下方向）の両端に設けられた一対のスライド枠１４，１４に沿って摺動するよう構成されている。
【００１９】
スライド枠１４は、金属製の不等辺チャンネルからなる外側部１４ａの内側にカーテンレール１１と接触する樹脂製の接触部１４ｂが設けられ、幅広の辺を下側にしてファンフィルタユニット２０の上面２６にネジ固定されている。スライド枠１４は、カーテンレール１１の摺動を案内するとともに、カーテンレール１１が水平方向、及び上下方向に逸脱しないよう拘束する。
【００２０】
ファンフィルタユニット２０の上面における厚み方向（図４の左右方向）の両端には、一対のスライドストッパ１５，１５が設けられている。スライドストッパ１５は、図７に示すように鉛直部１５ａと、鉛直部１５ａの上縁から反ファンフィルタユニット側に延出する上板部１５ｂと、鉛直部１５ａの下縁から上板部１５ｂと反対側に延出して上面２６にノブボルト１５ｄによりネジ固定される基部１５ｃとからなる。鉛直部１５ａは、カーテンレール１１の横辺１１ｂの水平方向の動きを一方側に拘束し、上板部１５ｂは、横辺１１ｂの上方への動きを拘束する。
【００２１】
カーテンレール１１は、カーテン１３を外した状態で、図７（ｂ）に示すように、スライドストッパ１５の鉛直部１５ａの内側かつ基部１５ｃの上面へ横辺１１ｂを係止して鉛直に吊り下げることができる。
【００２２】
カーテン１３は、軟質透明樹脂製シートを長方形に切断して形成され、上縁に穿設されたハトメ１３ａによりカーテンフック１２に吊設される。３枚のカーテン１３のうち、ベッドＢの両サイドのカーテン１３、１３は、ベッドＢを横切るカーテン１３よりも上下に長く設けられている。
【００２３】
天壁１６は、軟質透明樹脂製のシートを長方形に切断して形成され、カーテンレール１１の開口１１ｃ全面を塞ぐようにカーテンレール１１に被せられる。天壁１６の周縁部１６ａは、カーテンレール１１の外側へ垂下している。
【００２４】
ファンフィルタユニット２０は、図３に示すように、直方体の箱状をなし、厚み方向（図３（ａ）の上下方向）に対向する側面の一方の面に吹出口２１（図３（ｂ）参照）が設けられ、その他方の面に吸込み口２２が設けられている。吹出口２１、及び吸込み口２２は、それぞれ樹脂製パネル２３に設けられた多数の円形貫通孔２１ａ、２２ａからなる。
【００２５】
吹出口２１の内側には、吹出ＨＥＰＡフィルタ２４１が設けられ、吸込み口２２の内側には吸込みＨＥＰＡフィルタ２４２が設けられている。ファンフィルタユニット２０の内部は、適宜に区画がなされており、ファン２５により、吸込み口２２から空気を吸い込んで吹出口から空気を吹き出すよう構成されている。
【００２６】
クリーンブース１００を、手術後の患者に対する感染防止に使用する場合には、図１に示すように、ファンフィルタユニット２０の吹出口２１側にカーテンレール１１をスライドさせて吹出口２１側にクリーンブース本体１０を組立て、ファンフィルタユニット２０側が頭側となるようベッドＢを設置する。こうすることで、クリーンブース本体１０の内部を陽圧にすることができ、外部からクリーンブース本体１０内部への細菌やウイルス等の侵入を抑制することができる。
【００２７】
クリーンブース１００を、感染症の患者から医療従事者等への感染防止に使用する場合には、図２に示すように、ファンフィルタユニット２０の吸込み口２２側にカーテンレール１１をスライドさせて吸込み口２２側にクリーンブース本体１０を組立て、ファンフィルタユニット２０側が頭側となるようベッドＢを設置する。こうすることで、クリーンブース本体１０の内部を陰圧にすることができ、クリーンブース本体１０内部から外部への細菌やウイルス等の漏出を抑制することができる。
さらにファンフィルタユニットのバック側から清浄空気が送流されるため、周囲環境の清浄化も実現する。
【００２８】
以上、本発明は、上記の実施形態に限らず、カーテンレールは、吹出口側と吸込み口側との間で移動可能に構成されていれば、その移動方法はスライド式に限定されず、例えば、カーテンレールの横軸を回転軸にして、カーテンレールを回動することにより、カーテンレールを吹出口側と吸込み口側との間で移動するようにしてもよい。
【００２９】
また、カーテンレールを着脱式にして移動させるようにしてもよい。クリーンブース本体は、ベッドの一部だけでなく全体を覆うようにしてもよいし、複数のエッドを覆うようにしてもよい。カーテンレールはファンフィルタユニットに吊掛けることができなくてもよい。
【符号の説明】
【００３０】
１００  クリーンブース
１０  クリーンブース本体
１１  カーテンレール
１３  カーテン
１６  天壁
２０  ファンフィルタユニット
２１  吹出口
２２  吸込み口
【要約】      （修正有）【課題】クリーンブース内の陰圧と陽圧の切り替えを簡単にできるようにする。【解決手段】本発明のクリーンブース１００は、対向する一対の側面の一方に吹出口２１を有し、他方に吸込み口２２を有するファンフィルタユニット２０と、ファンフィルタユニット２０の吹出口側、又は吸込み口側に隣接して設けられるクリーンブース本体１０とを備える。クリーンブース本体１０は、ファンフィルタユニット２０の存する方向を除く３方向を覆うカーテン１３と、カーテンを吊設するカーテンレール１１と、上方を塞ぐ天壁１６とを備えている。クリーンブース１００は、カーテンレール１１を、ファンフィルタユニット２０の吹出口側と吸込み口側との間で移動可能とすることで、クリーンブース本体内部を陰圧、又は陽圧に切替え可能に構成されている。【選択図】図１【図１】
0006960694.tif 000002
【図２】
0006960694.tif 000003
【図３】
0006960694.tif 000004
【図４】
0006960694.tif 000005
【図５】
0006960694.tif 000006
【図６】
0006960694.tif 000007
【図７】
0006960694.tif 000008